(57)【要約】【課題】組み立て部材の形状や製作工程が煩雑とならず、製作が簡単でかつサイズ調整ができるダンボールで形成された土台部を有するニット製家具を提供する。【解決手段】帯状のダンボールをロール状に巻き所望のサイズに形成した土台部と、横編機で形成した無縫製ニットであり、開口部の周縁に袋状組織を配した筒面と、その袋状組織内に挿通する緊縛可能な紐部材と、複数の三角形で形成された閉じ面による袋状のニットカバー部とを備えた、製作が簡単でかつサイズ調整できるニット製家具である。【選択図】図１
2010284376.tif 000002
【特許請求の範囲】
【請求項１】
帯状のダンボールをロール状に巻き所望のサイズにした土台部と、一方に閉じ面が形成され他方が開口部となる袋状のニットカバー部とからなり、該ニットカバー部で前記土台部を覆ったことを特徴とするニット製家具。
【請求項２】
前記ニットカバー部は、前記開口部の周縁に袋状組織を配した筒面と、複数の三角形で形成された閉じ面を備え、袋状組織内には緊縛可能な紐部材を挿通することを特徴とする請求項１に記載のニット製家具。
【請求項３】
前記ニットカバー部の筒面と閉じ面は、横編機で形成した無縫製ニットであることを特徴とする請求項２記載のニット製家具。
【発明の詳細な説明】
【技術分野】
【０００１】
本発明は、ニットカバーに覆われた土台部がダンボールで形成された家具に関する。
【背景技術】
【０００２】
一枚のダンボール紙等板紙を用いて、座部、背もたれ、肘掛け部、脚部等に折り目を設け、折り目で折り曲げて組み立てをできるようにした組み立て椅子が文献１に記載されている。
【先行技術文献】
【特許文献】
【０００３】
【特許文献１】特開２００５−２１１９９号公報
【発明の概要】
【発明が解決しようとする課題】
【０００４】
しかしながら、この椅子は立体物として一枚の板紙で形成できるものの、山折りと谷折りを多数組み合わせて複雑な形状に形成するため、組み立て部材の形状と製作工程が煩雑となる。また、製作後の椅子のサイズは決まっており、設置スペースに合せて小さくするなどのサイズ調整機能も有していない。
【０００５】
本発明では、製作が簡単でかつサイズ調整できるダンボールで形成された土台部を有するニット製家具を提供することを目的とする。
【課題を解決するための手段】
【０００６】
本発明のニット製家具は、帯状のダンボールをロール状に巻き所望のサイズにした土台部と、一方に閉じ面が形成され他方が開口部となる袋状のニットカバー部とからなり、該ニットカバー部で前記土台部を覆ったことを特徴とする。
【０００７】
また、前記ニットカバー部は、前記開口部の周縁に袋状組織を配した筒面と、複数の三角形で形成された閉じ面を備え、袋状組織内には緊縛可能な紐部材を挿通することを特徴とする。
【０００８】
更に前記ニットカバー部の筒面と閉じ面は、横編機で形成した無縫製ニットであることを特徴とする。
【発明の効果】
【０００９】
本発明によれば、帯状のダンボールをロール状に巻くことで土台が簡単に形成でき、且つニットカバーは、伸縮性を有するためユーザーの好みにより土台のサイズが変化しても装着することができる。
【００１０】
本発明によれば、ニットカバー部の開口部の周縁に袋状組織を設けることで、形成後にゴム糸などの伸縮糸や紐部材を挿通してニットカバーを土台に固定することができる。また、複数の三角形で形成された閉じ面を形成することで、円形である土台の上面に対して隙間なく密着することがきる。
【００１１】
本発明によれば、ニットカバー部は縫製することなく形成することができ、形成された編目は均等な伸縮性を有する。
【図面の簡単な説明】
【００１２】
【図１】本発明の実施例である椅子の全体写真である。
【図２】本発明の実施例である椅子の底面写真である。
【図３】本発明の実施例である椅子のニットカバー部の、型紙の一部の図である。
【発明を実施するための形態】
【００１３】
図１は、本発明の実施の一形態としての椅子１の全体写真である。また、図２は、図１の閉じ面３に対向する底面の写真である。図１で示す頂部９が中心付近にある閉じ面３を座面とし、図２に示す底面７を床側にして設置する。ニットカバー部２と、帯状のダンボールをロール状に巻き形成された土台４と、筒面８に繋がる開口部端部の袋状組織５内に挿通して縛った紐６で構成された椅子１を示している。ニット製家具は、様々な分野に使用できるが、特に椅子やテーブル、置き台など、ファーニチャー関連で、簡単に筒径を調整して大きさを変更したり、カバーを交換したりできるコーディネート可能な製品として適している。
【実施例】
【００１４】
本実施例ではニット製家具としての椅子を例に説明を行う。図１、２で写真に示す椅子１は、土台４を準備した後、別途、横編機を用いて無縫製に形成されたニットカバー部２を覆い被せ、ニットカバー部２の開口部の周縁に設けた袋状組織５に紐６を挿通して縛っている。
【００１５】
土台４の形成は、帯状のダンボールをロール状にユーザーの所望の筒径となるように巻いている。土台４の筒径は、巻き数に応じて簡単に調整することができる。また、特別な工具を使うことは必要ない。ここでは、ダンボールの種類で、片面ダンボールを使用している。片面ダンボールは両面タイプに比べて若干強度は落ちるものの、折り目なく曲げることが簡単にでき、非常に巻きやすい。また、高さ方向には片面ダンボールの丈を調整し、座面の筒径と合せて自由に変更が可能となる。ダンボール素材であるため、カッター等で簡単にカットできる。
【００１６】
また、限られた長さの片面ダンボールで筒径を大きくするためには、筒径の中心に円筒状の芯を用いてもよい。ニットカバー部２で覆うために、見栄えの問題もない。椅子１の底面に位置する袋状組織５内に紐６や伸縮糸を挿通し、ニットカバー部２を縛って動かないように固定することができる。本実施例では、紐６を挿通しているが、伸縮強度が高いゴム糸を用いてもよい。
【００１７】
図３は、本発明の実施の一形態としての椅子１のニットカバー部２の型紙の一部の図である。これは片面の表示であって、実際には同じものが前後２層に重なっており、形成時にはその両端部が繋がった筒状編地となる。ニットカバー部２は、図面で示す矢印の方向に向けて編成する。まず、少なくとも前後一対の針床を有する横編機を用い、開口部の周縁に設ける袋状組織５を前後の各針床に編出した後、前後ともに袋状組織５を形成する。そのため４層の状態となり、紐６やゴム糸を挿通できる空間を筒状に形成できる。各層の編成に使用できる編針は半分となり、筒面８の編目に対して形成する編目が大きくなる。続いて、前後各針床を使って周回編成し、筒面８を形成する。
【００１８】
さらに、閉じ面３を形成するため、頂部９に向けて編成する。閉じ面３は、図では表示しない三角形を含めて１２個集まっている。ウェール方向に向けて、複数個所で、重ね目を設けて編幅を順次減らし、その減らしを行う位置を規則的に設定することで、閉じ面３の中心に向けて三角形の頂部９が収束するような形となる。ここでは、減らしの回数と位置が同じため、各三角形は二等辺三角形となる。各三角形の底辺からの高さは全て同じで、底辺に対するその高さの比が高くなる場合には三角形の数を増やせばよい。高さの比が低くなる場合は、三角形の数を減らせばよい。ともに閉じ面３をフラットにできる。
【００１９】
最終的に、三角形の頂部９が収束して２目〜１０目程度まで編幅を減らした後、伏目処理を行い完了する。ニットカバー部２は無縫製で編成しており、各三角形の接合は、減らしによる重ね目の形成のみであるため、ミシン等による縫製で編目の伸びを阻害することもない。土台４の筒径を変更しても、閉じ面３が円形である土台４の上面に密着し、それに繋がる筒面８の底面７に位置する袋状組織５に挿通された紐部材を縛ることで、ずれを無くすことができる。本実施例では、ニットカバー部２の形成に綿糸を使っているが、伸縮糸を使用すれば、さらに、フィット感を高められる。
【００２０】
本実施例では、ニットカバー部２の編成組織として、ウェール方向とコース方向ともに表目と裏目が交互になる組織で形成されている。この組織では凹凸感がうまく表現できているが、勿論、天竺組織やリブ組織、または、メッシュなどの組織でもよく、編み込みのジャカード組織やインターシャ組織でもよい。リバーシブルに形成したり、物を収納できるポケットを付加したり、異ゲージや異素材による組み合わせなど、横編機を用いて形成するため、ニットウェアや小物に対応している多彩な編成が行える。
【００２１】
本実施例で形成された椅子１は、ダンボールや糸などのリサイクル可能な素材で構成し、ダンボールについてみれば、それを再生紙として処分してもよい。また、カバー部が損傷すれば、カバー部のみ交換して使用することができるエコロジーな製品となる。土台４の素材はダンボールのため、強度的には金属や強化プラスチックに比べると限度があるが、多層に巻きつけているために同素材で空間を設けたものに比較し、強度が増している。さらに、適度な重量なために座った際にも安定している。
【符号の説明】
【００２２】
１                椅子
２                ニットカバー部
３                閉じ面
４                土台
５                袋状組織
【図３】
2010284376.tif 000003
【図１】
2010284376.tif 000004
【図２】
2010284376.tif 000005